(57)【特許請求の範囲】
【請求項１】
沈殿池内に配設された主務スプロケットホイール及び従動スプロケットホイール間に張架された無端チェーンにフライトを取り付け、無端チェーンを循環駆動させることによって池底に沈殿した汚泥を汚泥ピット側に掻き寄せるようにした汚泥掻寄機において、沈殿池の側壁に駆動軸支持用の軸受を介して回転可能に支持した駆動軸に、主務スプロケットホイールを固定的に取り付けるとともに、歯飛び防止部材を該歯飛び防止部材支持用の軸受を介して駆動軸と共回りしないように取り付け、歯飛び防止部材用の軸受を、二叉ブラケットを介して、沈殿池の側壁に突設した回転防止用ブラケットに、二叉ブラケットと回転防止用ブラケットとの間に駆動軸及び歯飛び防止部材の据付誤差を吸収する据付誤差吸収部を備えて、取り付けたことを特徴とする汚泥掻寄機。
【請求項２】
据付誤差吸収部を、回転防止用ブラケットに備えた取付板に形成した長孔と、該長孔に挿通し、二叉ブラケット間に架け渡した取合ピンとで構成したことを特徴とする請求項１記載の汚泥掻寄機。
【請求項３】
取合ピンに二叉ブラケット間の間隔を保持するスペーサパイプを外嵌したことを特徴とする請求項１又は２記載の汚泥掻寄機。
【発明の詳細な説明】
【技術分野】
【０００１】
本発明は、汚泥掻寄機に関し、特に、沈砂池内側壁等の土木構造物に軸受を介して回転可能に駆動軸を支持し、かつ該駆動軸に主務スプロケットホイール及びこれに付設する歯飛び防止部材を取り付ける際、これらの据え付けに際して生じるその誤差を吸収して軸受に過大な負荷をかけないようにした汚泥掻寄機に関するものである。
【背景技術】
【０００２】
従来、下水処理場や浄水場においては、泥土や土砂（以下、「汚泥物質」という。）が混入している流入水を一端沈殿池に導入し、ここで流入水に含まれている前記汚泥物質を沈殿分離させるようにしている。そして、沈殿した汚泥物質を、沈殿池内に設置した汚泥掻寄機にて該沈殿池の一端部に配置した汚泥ピット内に集泥した後、汚泥ポンプ等を用いて池外へ排出するようにしている。
【０００３】
この汚泥掻寄機として、例えば、図３の概略図で示すようなチェーンフライト式汚泥掻寄機が用いられている（特許文献１−２参照。）。
このチェーンフライト式汚泥掻寄機は、駆動軸５に主務スプロケットホイール１を、従動軸に従動スプロケットホイール２をそれぞれ取り付け、主務スプロケットホイール１及び従動スプロケットホイール２を沈殿池Ｐ内に配設し、かつ主務スプロケットホイール１と従動スプロケットホイール２の間に所定間隔で汚泥掻き寄せ用のフライト４を取り付けた無端チェーン３を張架し、駆動軸５を駆動用モータＭにて駆動することで無端チェーン３を沈殿池内で循環駆動する際、フライト４にて沈殿池の内底に沈殿する汚泥を汚泥ピット側に掻き寄せ排出するように構成している。
【０００４】
ところで、駆動軸５は、一般的に対向する沈砂池の側壁にそれぞれ軸受を取り付け、この軸受間に架け渡すようにして回転可能に取り付けている。
しかし、この駆動軸５を沈砂池の側壁等の土木構造物に据え付けるにあたり、製作及び／又は据え付けに誤差が生じることは避けられない。
さらには、主務スプロケットホイール１の外周部に歯飛び防止部材を取り付ける際、この歯飛び防止部材の製作及び／又は据え付けに誤差が生じたりする。
この歯飛び防止部材の取り付け時の据付誤差により部材同士が引っ張りあう状態となり、これが軸受に過大な負荷を与えるものとなる。
この軸受に対しての過大な負荷は、軸受や歯飛び防止部材に不具合が生じさせたり、破損の起因となったりする。
また、このため、駆動軸や歯飛び防止部材の据え付けに必要以上の手数を要し、かつまたその据え付けに熟練を要する。
【発明の概要】
【発明が解決しようとする課題】
【０００５】
本発明は、汚泥掻寄機の駆動軸や主務スプロケットホイールに付設する歯飛び防止部材の据え付けに際して生じるその誤差を簡易な方法で吸収して軸受に過大な負荷をかけないようにした汚泥掻寄機を提供することを目的とする。
【課題を解決するための手段】
【０００６】
上記目的を達成するため、本発明の汚泥掻寄機は、沈殿池内に配設された主務スプロケットホイール及び従動スプロケットホイール間に張架された無端チェーンにフライトを取り付け、無端チェーンを循環駆動させることによって池底に沈殿した汚泥を汚泥ピット側に掻き寄せるようにした汚泥掻寄機において、沈殿池の側壁に駆動軸支持用の軸受を介して回転可能に支持した駆動軸に、主務スプロケットホイールを固定的に取り付けるとともに、歯飛び防止部材を該歯飛び防止部材支持用の軸受を介して駆動軸と共回りしないように取り付け、歯飛び防止部材用の軸受を、二叉ブラケットを介して、沈殿池の側壁に突設した回転防止用ブラケットに、二叉ブラケットと回転防止用ブラケットとの間に駆動軸及び歯飛び防止部材の据付誤差を吸収する据付誤差吸収部を備えて、取り付けたことを特徴とする。
【０００７】
この場合において、据付誤差吸収部を、回転防止用ブラケットに備えた取付板に形成した長孔と、該長孔に挿通し、二叉ブラケット間に架け渡した取合ピンとで構成することができる。
【０００８】
また、取合ピンに二叉ブラケット間の間隔を保持するスペーサパイプを外嵌することができる。
【発明の効果】
【０００９】
本発明の汚泥掻寄機によれば、沈殿池の側壁に軸受を介して回転可能に支持した駆動軸に主務スプロケットホイール及び歯飛び防止部材を備え、歯飛び防止部材を取り付ける二叉ブラケットと沈殿池の側壁に突設した回転防止用ブラケットの据付誤差を吸収する据付誤差吸収部を備えることにより、据付誤差による軸受への過大な負荷を未然に防止することができるので、軸受その他の部材の破損や故障を防止して汚泥掻寄機の安全運転を行うことができる。
【００１０】
また、据付誤差吸収部を、回転防止用ブラケットに備えた取付板に形成した長孔と、該長孔に挿通し、二叉ブラケット間に架け渡した取合ピンとで構成することにより、簡単な機構であるため新設或いは既設を問わずすべての汚泥掻寄機に適用でき、かつ確実に据付誤差を吸収することができる。
【００１１】
また、取合ピンに二叉ブラケット間の間隔を保持するスペーサパイプを外嵌することにより、取合ピンに螺合するナットの締め付けによっても二叉ブラケットの下端間隔をスペーサパイプにて一定に保持できるので、据付誤差を吸収可能にして両部材間の締結が確固に行うことができる。
【図面の簡単な説明】
【００１２】
【図１】本発明の汚泥掻寄機の一実施例を示す外観斜視図である。
【図２】回転防止用ブラケットの取付板と二叉ブラケットとの取合ピンによる係合状態を示す外観斜視図である。
【図３】図２の断面図である。
【図４】汚泥掻寄機の説明図である。
【発明を実施するための形態】
【００１３】
以下、本発明の汚泥掻寄機の実施の形態を、図面に基づいて説明する。
【００１４】
図１〜図３に、本発明の汚泥掻寄機の一実施例を示す。
下水処理場や浄水場に流入する流入水は、該下水処理場等に設置された沈殿池Ｐ内にまず導入され、ここで固液分離により汚泥物質が沈殿して分離されるが、この沈殿池Ｐ内には汚泥掻寄機Ａが設置されているので、沈殿分離した汚泥物質は該汚泥掻寄機Ａにて汚泥ピットＰａ側へ掻き寄せられて池外へ排出除去される。
【００１５】
この汚泥掻寄機Ａとしては、特に限定されるものではないが、例えば、図４に示すように、沈殿池Ｐ内に配置された主務スプロケットホイール１（駆動スプロケットホイール）と複数の従動スプロケットホイール２間に無端チェーン３を張架し、かつ該無端チェーン３に複数のフライト４を取り付け、該主務スプロケットホイール１を介して無端チェーン３を駆動するように構成している。
この場合、これらのスプロケットホイール１、２間に張架される無端チェーン３の一部が池底Ｐｂに沿うように配置されているので、無端チェーン３が循環駆動される際、無端チェーン３が池底Ｐｂに沿って移動することにより該無端チェーン３に取り付けられたフライト４にて池底Ｐｂに沈殿した汚泥物質を汚泥ピットＰａ側に掻き寄せられる。
【００１６】
また、主務スプロケットホイール１は、駆動軸５にコッター等を介して固定的に取り付けるようにしたボス（図示省略）に、２枚の円盤１ａ、１ａを対峙するように配設固定し、かつ該円盤外周部においてその周回方向に沿って所定間隔で複数本のピン１Ｐを植設するようにして一体とし、この２枚の対向する円盤間内に無端チェーン３の一部が挿入するようして該ピン１Ｐと無端チェーン３の各駒に形成したノッチ（図示省略）とが確実に噛合し、動力を伝達できるように構成するものである。
なお、無端チェーン３は、ステンレス等の鋼材を用いることもできるが、汚泥を含む汚水中で使用環境が極めて劣悪な下でも耐用性を図るよう、合成樹脂製とすることができる。
【００１７】
また、主務スプロケットホイール１を固定的に取り付ける駆動軸５には、主務スプロケットホイール１だけでなく、図３に示すように、該駆動軸端部に池上等に設置された駆動用モータＭにて駆動される駆動用スプロケットホイール６を取り付け、駆動用モータＭにて駆動力を駆動軸５に伝達し、駆動軸５と共に主務スプロケットホイール１を回転駆動するようにする。
この駆動軸５は、図１に示すように、沈殿池の側壁Ｗの内側に取り付けた駆動軸支持用の軸受１０にて駆動軸５の端部を回転可能に支持する。そして、この駆動軸５には固定的に上述の如く構成した主務スプロケットホイール１を取り付けるが、この主務スプロケットホイール取り付け位置にさらに歯飛び防止部材Ｂを配設する。
【００１８】
この歯飛び防止部材Ｂは、主務スプロケットホイールの外周面にその周回方向に沿って配設する歯飛び防止プレートＢｐと、この歯飛び防止プレートＢｐを軸受９に固定するブラケットＢｂとより構成しているが、この歯飛び防止プレートＢｐは、主務スプロケットホイール１の外周部のチェーン巻き掛け角度領域となるように配設するものとする。
これにより、無端チェーン３に所定以上の負荷がかかって無端チェーン３が主務スプロケットホイール１より飛び上がり主務スプロケットホイール１から外れるようとする、所謂歯飛びを防止して安定した駆動が行われるようにしている。
【００１９】
この歯飛び防止部材Ｂの駆動軸５への取り付けは軸受９を介して行うが、この駆動軸５へ軸受を介して取り付けるだけでは駆動軸５の回転により歯飛び防止部材Ｂも共に回転するものとなる。この共回りを防止するため、回転防止用ブラケット７を用いる。
この回転防止用ブラケット７は、図１〜図２に示すように、沈殿池の側壁Ｗの内側で、かつ駆動軸５の下方で平行するように突設固定し、この回転防止用ブラケット７の先端部に二叉ブラケット８を突設し、この二叉ブラケット上部に前記軸受９を取り付けるものである。
【００２０】
この場合、駆動軸５及び歯飛び防止部材Ｂの据え付け時に生じる据付誤差にて軸受９に過大な負荷をかけるものとなる。この据付誤差を吸収するため、回転防止用ブラケット７と二叉ブラケット８の下端とを直接ねじ等を用いて固定的に取り付けるのではなく、前記据付誤差を吸収できる構成とする。
これは、図２〜図３に示すように、回転防止用ブラケット７の端部の上面に取付基台７０を溶接、ねじ等にて固定し、この取付基台７０上に２枚の取付板７１を互いに突設するようにしたベースプレート７２をねじ７３にて固定し、この対向する２枚の取付板７１、７１にそれぞれ上下方向の長孔７１ｈ、７１ｈを穿設とともに、この取付板７１の長孔７１ｈ内にスペーサパイプ１１の端部を挿通し、かつ該スペーサパイプ１１内に取合ピン１２を挿通し、これにナット１３を螺合して固定する。
したがって、長孔７１ｈの横方向の内径はスペーサパイプ１１を挿通できる程度とし、縦方向の長さは、横方向の内径よりも大きい、据付誤差を吸収できる程度の長さとなるようにする。
【００２１】
また、この場合、スペーサパイプ１１の端部は取付板７１の長孔７１ｈ内に嵌合されるもその端面は、図３に示すように、取付基台７０の取付板７１の外側方に配設される二叉ブラケット８の内側面と直接当接するようにするとともに、これにより二叉ブラケット８の内側面と取付板７１の外側面との間には、若干の隙間Ｃを生じるようにする。
また、これにより、図３に示すように、取合ピン１２に螺合するナット１３を二叉ブラケット８の外側から固く締結しても、その締め付け力は二叉ブラケット８の両脚片とスペーサパイプ１１間にて作用し、取付板７１と二叉ブラケット８とは直接押圧設しないため、回転防止用ブラケット７と二叉ブラケット８間にて長孔に沿って上下方向の移動を許容するようになって据付誤差が吸収され、かつ歯飛び防止部材Ｂの駆動軸５との共回りが防止される。
【００２２】
なお、二叉ブラケット８の上部には歯飛び防止部材Ｂの支持用の軸受９を支持し、この軸受９によりブッシュ９０を介して、駆動軸５を抱持するようにして支持するようにする。
また、軸受９は上下に２分割とし、下側の軸受部を二叉ブラケット８の上部に溶接等により一体に固定し、この下側の軸受部に、上側の軸受部をねじ等にて一体に固定するようすることもできる。
これにより、軸受９や主務スプロケットホイール１の保守点検を行い易くすることができる。
【００２３】
上述のように構成することにより、汚泥掻寄機の駆動軸５の据え付けや、主務スプロケットホイール１に付設する歯飛び防止部材Ｂの据え付けに際して誤差が生じても、取付板７１の長孔７１ｈ内にて取合ピン１２を挿通したスペーサパイプ１１が上下方向に移動してその誤差が自然と吸収される。
また、このとき、ナット１３による取合ピン１２の締結を強くしても二叉ブラケット８の脚片と取付板４１との間にはスペーサパイプ１１により常に若干の隙間が形成されるのでスペーサパイプ１１の移動に支障を与えない。
このように、誤差を簡易な方法で吸収することができるので軸受９への過大な負荷をかけず軸受９の破損を未然に防止することができる。
【００２４】
以上、本発明の汚泥掻寄機について、その実施例に基づいて説明したが、本発明は上記実施例に記載した構成に限定されるものではなく、その趣旨を逸脱しない範囲において適宜その構成を変更することができるものである。
【産業上の利用可能性】
【００２５】
本発明の汚泥掻寄機は、主務スプロケットホイールを取り付けた駆動軸や歯飛び防止部材の据え付け時、その据付誤差を自然に吸収できるという特性を有していることから、劣悪な環境下で使用される汚泥掻寄機の用途に好適に用いることができる。
【符号の説明】
【００２６】
Ａ    汚泥掻寄機
Ｂ    歯飛び防止部材
Ｄ    据付誤差吸収部
Ｐ    沈殿池
Ｐａ  汚泥ピット
Ｐｂ  池底
Ｍ    駆動用モータ
１    主務スプロケットホイール
１Ｐ  ピン
１ａ  円盤
２    従動スプロケットホイール
３    無端チェーン
４    フライト
５    駆動軸
６    駆動用スプロケットホイール
７    回転防止用ブラケット
７０  取付基台
７１  取付板
７１ｈ  長孔
７２  ベースプレート
７３  ねじ
８    二叉ブラケット
９    軸受
９０  ブッシュ
１０  駆動軸支持用の軸受
１１  スペーサパイプ
１２  取合ピン
１３  ナット
【図１】
0005684040.tif 000002
【図２】
0005684040.tif 000003
【図３】
0005684040.tif 000004
【図４】
0005684040.tif 000005